(57)【特許請求の範囲】
【請求項１】
ダム堤体に適合する形状の型枠とその型枠の移動手段とを備え、上部を埋設物より高い門型構造にし、また、門型構造の桁梁部を埋設物の幅より広くなるようにし、さらに、前記門型構造に対して、内型枠と外型枠の端部を廻り止めナット付きヒンジピン構造を介して接続し、ダム上下流の仕上がり勾配に対して内型枠と外型枠の勾配を可変的に調整できるようにした構築装置の型枠部分を堤体の発進端部にセットし、ホッパからコンクリートを供給しながら型枠を堤体の構築方向に移動させてダム堤体の上下流面コンクリートを構築することを特徴とするコンクリート堤体の構築工法。
【請求項２】
ダム堤体に適合する形状の型枠とその型枠の移動手段とを備え、上部を埋設物より高い門型構造にし、また、門型構造の桁梁部を内外の桁梁と中桁梁の組み合わせで埋設物の幅より広くなるようにし、さらに、前記門型構造に対して、内型枠と外型枠の端部を廻り止めナット付きヒンジピン構造を介して接続し、ダム上下流の仕上がり勾配に対して内型枠と外型枠の勾配を可変的に調整できるようにしたことを特徴とするコンクリート堤体の構築装置。
【発明の詳細な説明】
【０００１】
【発明の属する技術分野】
本発明は、ダムのコンクリート堤体を構築するための構築工法およびそれに使用する構築装置に関するものである。
【０００２】
【従来の技術】
従来のコンクリートダムを構築する場合には、上下流面に型枠を谷幅の全長にわたって取付け、コンクリートの打ち込みの進捗に伴って順次上方にスライド移動させていた。しかしながらかかる従来技術によれば、必然的にダムの法面における高所作業を必要とし、安全上の対策を必要とする。
【０００３】
さらに近年実施されている面状工法には、コンクリートを薄く広く打設するので、従来の技術では、一度に多量の型枠をスライド移動させねばならない。そのために移動型枠の移動作業が工程上のネックとなっていた。
【０００４】
そこで出願人は先にスライド作業を必要とせず、安全で高能率にダム堤体を構築できるコンクリート堤体の構築工法および構築装置を特願２０００−７９８３４として出願したので、図５〜図７について説明し、よって本発明の目的を明らかにする。
【０００５】
図中符号Ａｌは前前回に打設したダムの堤体、Ａ２は前回打設したダムの堤体、Ｂｌは前前回打設したダム本体、Ｂ２は前回打設したダムの本体で、Ａ３で示す部分のダム堤体を構築する場合である。
【０００６】
前回打設したダム本体Ｂ２の表面には、コンクリートを搬送するコンベヤＣを有する例えばクレーン付不整地運搬車Ｔおよび例えばダンプカーＤが作業をしている。構築装置Ｆが前回打設したダムの堤体Ａ２をまたぐように設けられている。
【０００７】
構築装置Ｆは、構築しようとするダムの堤体Ａ３に対応する内周面を有する型枠ｌを備え、その型枠ｌの上部にはコンクリートを供給するためのホッパ２を設け、ダム本体の表面Ｓを走行するための平坦部走行輪３とダムの堤体ＡｌまたはＡ２の側面を走行するための側面部走行輪４とを有し、枠体５で一体的に構成した。
【０００８】
この構築装置Ｆは図示しないバイブレータを内蔵しており、そして作動用の中継盤６を備え、この中継盤６には運搬車Ｔに積載した発電機Ｇや油圧ユニットＵからのラインＬｌ、Ｌ２が接続されている。したがって、ダンプカーＤからの生コンクリートはホッパＨに供給され、そしてコンベアＣを介して構築装置Ｆのホッパ２に投入される。そして型枠ｌによって堤体Ａ３が構築される。
【０００９】
枠体５内の両側にはステップ１０ａ、１０ｂを設け、また階段１１によりステップ１０ａ、１０ｂに作業員が昇降しやすくしてある。したがって枠体５は安全装置を兼ねている。そして表面Ｓ側のステップ１０ｂの下側には複数（図示の例では２つ）の平坦部走行輪３が型枠工に設けたブラケット１２で回動不能に支持されており、また反対側は複数（図示の例では２つ）の側面部走行輪４がやはり型枠ｌに取付けた別のブラケット１３で回転可能に支持されている。
【００１０】
したがって、コンクリートの打設に伴って矢印Ｘ方向に構築装置Ｆを移動させれば前回構築した堤体Ａ２の上部に新たな堤体Ａ３を構築できる。
【００１１】
構築装置Ｆの種々の移動手段としては、図７に示すように平坦部走行輪３および又は側面部走行輪４を図示しない油圧モータで駆動する。または図示は省略するが、走行輪がレール上を走行するようにしたもの、走行輪に代えてピニオンが設けられ、ラックと係合して油圧駆動モータにより走行するもの、電動ウインチを用い、ワイヤで牽引するもの、運搬車のブラケットをアンカー材として用い、油圧ジャッキで移動させるもの等種々考えられる。
【００１２】
まず、クレーン付不整地運搬車Ｔに発電機Ｇ、油圧ユニットＵおよびベルトコンベヤＣをセットし、クレーン付不整地運搬車Ｔによって構築装置Ｆのうちで型枠工の形状が最適なものを選択して前回構築した堤体Ａ２の発進端部にセットする。
【００１３】
次いで、発電機Ｇから構築装置ＦのバイブレータやベルトコンベアＣに電気配線Ｌ１を配線して、そして発電機Ｇで駆動される油圧ユニットＵから油圧ホースＬ２を配管して構築装置Ｆの駆動用油圧モータを駆動できるようにする。
【００１４】
図示しないコンクリートプラントで混練されたコンクリートをダンプカーＤで現場まで運搬し、そしてダンプカーＤからベルトコンベアＣのホッパＨにコンクリートを供給し、そのコンクリートはベルトコンベアによって構築装置Ｆのホッパ２に投入される。
【００１５】
このようにしてコンクリートが供給されたならば、構築装置Ｆはバイブレータを作動させながら、図６の矢印Ｘ方向に前進してコンクリートを打設する。その際にクレーン付不整地運搬車とダンプカーとは構築装置Ｆの打設速度に合せて前進させればよい。
【００１６】
この特願２０００−７９８３４のコンクリート堤体の構築工法および構築装置によれば、（ａ）構築装置をほぼ水平方向に移動させればよいので、堤体の長さが長くても安全にかつ能率的な作業ができ、（ｂ）水平移動のため、作業が楽であり、従来型枠のスライドと異なり、ストッパや係止手段が簡単でよい。（ｃ）構築装置自体が常にｌ〜２リフト分先行して上方に位置しているため、転落防護柵として機能し、安全上好ましい。
【００１７】
【発明が解決しようとする課題】
しかし、通常、堤体のジョイント（一般には１５ｍ間隔）の上下流際には、止水板、排水管および目地鋼板等の埋設物が配置され、その埋設の幅も一定ではない。このような埋設物の存在は前記のごとき、前回打設したダムの堤体Ａ２をまたぐように設け、水平方向に移動させればよい特願２０００−７９８３４のコンクリート堤体の構築工法および構築装置においては非常な障害となり、施工不能となることもある。
【００１８】
また、堤体の上下流の仕上がり勾配も一定ではなく、一般的に数ケ所の勾配変化部があるが、このような勾配変化に対応することができない。
【００１９】
本発明の目的は前記従来例の不都合を解消し、埋設物があっても連続してコンクリート打設ができ、さらに、打設幅、打設勾配も任意に調整して、安全で高能率にダム堤体を構築できる構築工法および構築装置を提供することにある。
【００２０】
【課題を解決するための手段】
本発明は前記目的を達成するため、コンクリート堤体の構築工法としては、ダム堤体に適合する形状の型枠とその型枠の移動手段とを備え、上部を埋設物より高い門型構造にし、また、門型構造の桁梁部を埋設物の幅より広くなるようにし、さらに、前記門型構造に対して、内型枠と外型枠の端部を廻り止めナット付きヒンジピン構造を介して接続し、ダム上下流の仕上がり勾配に対して内型枠と外型枠の勾配を可変的に調整できるようにした構築装置の型枠部分を堤体の発進端部にセットし、ホッパからコンクリートを供給しながら型枠を堤体の構築方向に移動させてダム堤体の上下流面コンクリートを構築することを要旨とするものである。
【００２１】
コンクリート堤体の構築装置としては、ダム堤体に適合する形状の型枠とその型枠の移動手段とを備え、上部を埋設物より高い門型構造にし、また、門型構造の桁梁部を内外の桁梁と中桁梁の組み合わせで埋設物の幅より広くなるようにし、さらに、前記門型構造に対して、内型枠と外型枠の端部を廻り止めナット付きヒンジピン構造を介して接続し、ダム上下流の仕上がり勾配に対して内型枠と外型枠の勾配を可変的に調整できるようにしたことを要旨とするものである。
【００２２】
本発明によれば、埋設物を通過させるために構築装置の上部を埋設物より高い門型構造にし、また、埋設物の幅に対しては、門型構造の桁梁部を内外の桁梁と中桁梁の組み合わせにして、中桁梁の長さが埋設物の幅より広くなるように任意に調整することができるので、構築装置の構造寸法を埋設物の高さ、幅に合わせて製作据付して、連続的にコンクリート打設を施工できる。
【００２３】
また、構築装置の外面勾配をダムの仕上がり勾配に含わせて調整据付ができるので、多種類の型枠を準備しなくてもよい。
【００２４】
【発明の実施の形態】
以下、本発明の実施の形態を詳細に説明する。図１は本発明のコンクリート堤体の構築工法および構築装置の１実施形態を示す側面図、図４は同上斜視図で、図中１は型枠である。この型枠１は前記図５〜図７の型枠１に相当する。
【００２５】
図中、２２は止水板、２３は排水管、および、２４は目地鋼板で埋設物の一例を示すものである。
【００２６】
先に構築装置について説明すると、型枠ｌの上部にはコンクリートを供給するためのホッパ２を設け、ダム本体の表面Ｓを走行するための平坦部走行輪３とダムの堤体Ａｌ又はＡ２の側面を走行するための側面部走行輪４とを有し、枠体５で一体的に構成した点は前記従来例と同じであるが（図４参照）、上部の主柱２５の高さを埋設物の高さより高くし、また、桁梁部２９を内桁梁２６、外桁梁２７と中桁梁２８との組み合わせで埋設物の幅より広くなるようにした門型構造部とした。この門型構造部は、事前に組立しておくことができる。
【００２７】
前記桁梁部２９の長さ調整は、固定した長さである内桁梁２６、外桁梁２７に対して異なる長さの中桁梁２８を選択することにより行うことができる。
【００２８】
さらに、このような門型構造部に対して、内型枠３０と外型枠３１の端部を廻り止めナット付きヒンジピン構造３２を介して接続し、ダム上下流の仕上がり勾配に対して内型枠３０と外型枠３１の勾配を可変的に調整できるようにした。
【００２９】
なお、内型枠３０と外型枠３１の勾配を可変的に調整できる機構としては、図２、図３にあるようにネジシャフトなどによる角度調整ロッド３３を配設する。この角度調整ロッド３３の長さ調整およびヒンジピン構造３２の廻止めナットとで固定可能となる。
【００３０】
施工に際しては、図５に示す従来例と同じく、まず、クレーン付不整地運搬車Ｔに発電機Ｇ、油圧ユニットＵおよびベルトコンベヤＣをセットする。そしてクレーン付不整地運搬車Ｔによって本発明装置の構築装置の型枠ｌを、堤体Ａ１をまたぐように堤体Ａ２の発進端部にセットする。
【００３１】
堤体Ａ２の上下流の仕上がり勾配に対応して内型枠３０、外型枠３１の勾配を調整する。図２は内型枠３０と外型枠３１がそれぞれ勾配がついた例である。図３は内型枠３０と外型枠３１がそれぞれ垂直の例である。
【００３２】
次いで、発電機Ｇから構築装置ＦのバイブレータやベルトコンベアＣに電気配線Ｌｌを配線して、そしで発電機Ｇで駆動される油圧ユニットＵから油圧ホースＬ２を配管して構築装置Ｆの駆動用油圧モータを駆動できるようにする。
【００３３】
図示しないコンクリートプラントで混練されたコンクリートをダンプカーＤで現場まで運搬し、そしてダンプカーＤからベルトコンベアＣのホッパＨにコンクリートを供給し、そのコンクリートはベルトコンベアＣによって構築装置のホッパ２に投入される。
【００３４】
このようにしてコンクリートが供給されたならば、構築装置はバイブレータを作動させながら、前進してコンクリートを連続打設する。その際にクレーン付不整地運搬車ＴとダンプカーＤとは構築装置の打設速度に合せて前進させればよい。
【００３５】
止水板２２、排水管２３および、目地鋼板２４等の埋設物の埋設場所を通過する時も、門型構造部を介してこれらの埋設物を通過させることができる。
【００３６】
【発明の効果】
以上述べたように本発明のコンクリート堤体の構築工法および構築装置は、構築装置をほぼ水平方向に移動させればよいので、堤体の長さが長くても作業ができ、水平移動のため、作業が楽であり、従来型枠のスライドと異なり、ストッパや係止手段が簡単でよく、構築装置自体が常にｌ〜２リフト分先行して上方に位置しているため、転落防護柵として機能し、安全上好ましいものである。
【００３７】
これに加えて、埋設物があっても連続してコンクリート打設ができ、さらに、打設幅、打設勾配も任意に調整して、安全で高能率にダム堤体を構築できる。
【図面の簡単な説明】
【図１】  本発明のコンクリート堤体の構築工法および構築装置の１実施形態を示す側面図である。
【図２】  本発明のコンクリート堤体の構築装置の勾配がついた個所での使用例を示す側面図である。
【図３】  本発明のコンクリート堤体の構築装置の勾配がつかない個所での使用例を示す側面図である。
【図４】  本発明のコンクリート堤体の構築工法および構築装置の１実施形態を示す斜視図である。
【図５】  従来例を示す説明図である。
【図６】  従来の構築装置を上方から見た傾斜図である。
【図７】  従来の構築装置の移動手段を説明するための平面図である。
【符号の説明】
１…型枠                        ２…ホッパ
３…平坦部走行輪                ４…側面部走行輪
５…枠体                        ６…中継盤
１０ａ、１０ｂ…ステップ        １１…階段
１２、１３…ブラケット          １５…レール
１６…ラック                    １７…ピニオン
１８…ウインチ                  １９…ワイヤ
２０…ブラケット                ２１…油圧シリンダ
２２…止水板                    ２３…排水管
２４…目地鋼板                  ２５…主柱
２６…内桁梁                    ２７…外桁梁
２８…中桁梁                    ２９…桁梁部
３０…内型枠                    ３１…外型枠
３２…ヒンジピン構造            ３３…角度調整ロッド
【図１】
0004230645.tif 000002
【図２】
0004230645.tif 000003
【図３】
0004230645.tif 000004
【図４】
0004230645.tif 000005
【図５】
0004230645.tif 000006
【図６】
0004230645.tif 000007
【図７】
0004230645.tif 000008